(57)【特許請求の範囲】
【請求項１】
カードコネクタ用のトレイであって、
前記トレイは、金属製、又はメッキが施された樹脂製からなり、
第１の面に端子部材を有するカードの、前記第１の面と反対側の第２の面に対向する底板部と、
前記底板部の前縁から立設し、前記カードの前端と対向する前壁部と、
前記底板部の後縁から立設し、前記カードの後縁と対向する後壁部と、
前記底板部の側縁から立設し、前記カードの側縁と対向する側壁部と、を備え、
前記前壁部、後壁部及び側壁部が、それらの上端内側に切欠きを有し、
前記切欠きの下端の高さは、トレイに収容されるカードの厚さ寸法よりも小さいことを特徴とするトレイ。
【請求項２】
前記切欠きが、Ｃ面取りによって形成されている請求項１に記載のトレイ。
【請求項３】
前記切欠きが、段差によって形成されている請求項１に記載のトレイ。
【請求項４】
トレイ式のカードコネクタであって、
請求項１〜３のいずれか一項に記載のトレイを備えることを特徴とするカードコネクタ。
【発明の詳細な説明】
【技術分野】
【０００１】
本発明は、カードを収容するトレイ及びカードコネクタに関する。
【背景技術】
【０００２】
従来、パーソナルコンピュータ、携帯電話機、スマートフォン、ＰＤＡ（Ｐｅｒｓｏｎａｌ Ｄｉｇｉｔａｌ Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ Ｉｄｅｎｔｉｔｙ Ｍｏｄｕｌｅ）カード、ＭＭＣ（Ｒ）（Ｍｕｌｔｉ Ｍｅｄｉａ Ｃａｒｄ）、ＳＤ（Ｒ）（Ｓｅｃｕｒｅ Ｄｉｇｉｔａｌ）カード、ｍｉｎｉＳＤ（Ｒ）カード、ｘＤピクチャーカード（Ｒ）（ｘＤ−Ｐｉｃｔｕｒｅ ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カードコネクタを備えている（例えば、特許文献１参照）。
【０００３】
メモリカードは、通常、底面に端子部材である複数の接続パッドを有し、カードコネクタに正しい姿勢で挿入すると、メモリカードの接続パッドがカードコネクタ内の接続端子と接触して導通される。これにより、カードコネクタが実装された基板は、カードコネクタを介してメモリカードへのアクセスが許容され、データの読み出しや書き込みを行うことが可能になる。
【０００４】
近年、メモリカードは、データ量の増加や読み出し／書き込み速度の向上に伴い、周囲からのノイズに敏感なだけでなく、逆にノイズ源となって周囲に悪影響を及ぼす可能性が指摘されている。そこで、トレイを介してメモリカードを挿入するトレイ式のカードコネクタでは、ノイズ遮蔽機能を有するトレイ（例えば、金属製のトレイや、メッキが施された樹脂製のトレイ）でメモリカードを覆うことにより、ノイズの影響を低減することが提案される。
【先行技術文献】
【特許文献】
【０００５】
【特許文献１】特開２０００−１４８９２７号公報
【発明の概要】
【発明が解決しようとする課題】
【０００６】
しかしながら、ノイズ遮蔽性能を有する金属製のトレイや、メッキが施された樹脂製のトレイは、導電性を有しているので、収容されるメモリカードの接続パッドと接触して短絡を発生させる虞がある。特に、接続パッドの配置面において、その端縁又は端縁近傍まで接続パッドが配置されたメモリカードの場合は、たとえ接続パッドの配置面を上にしてトレイの底板上に収容したとしても、その周囲に立設される壁部に接続パッドが接触して短絡する虞がある。なお、このような短絡を防止するために、トレイの必要箇所に絶縁処理を施すことが考えられるが、絶縁処理工程を追加すると、製造コストが大幅に上昇するという問題があった。
【０００７】
そこで、本発明は、上記の問題点に鑑みなされたものであって、ノイズ遮蔽性能を有する金属製のトレイや、メッキが施された樹脂製のトレイであったとしても、底板上に収容されたカードの端子部材が周囲の壁部に接触して短絡することを防止できるトレイ及びカードコネクタの提供を目的とする。
【課題を解決するための手段】
【０００８】
本発明は上記目的を達成するために提案されたものであり、請求項１に係る発明は、カードコネクタ用のトレイであって、前記トレイは、金属製、又はメッキが施された樹脂製からなり、第１の面に端子部材を有するカードの、前記第１の面と反対側の第２の面に対向する底板部と、前記底板部の前縁から立設し、前記カードの前端と対向する前壁部と、前記底板部の後縁から立設し、前記カードの後端と対向する後壁部と、前記底板部の側縁から立設し、前記カードの側縁と対向する側壁部と、を備え、前記前壁部、後壁部及び側壁部がそれらの上端内側に切欠きを有し、前記切欠きの下端の高さは、トレイに収容されるカードの厚さ寸法よりも小さい。
【０００９】
また、請求項２に係る発明は、前記切欠きが、Ｃ面取りによって形成されている。
【００１０】
また、請求項３に係る発明は、前記切欠きが、段差によって形成されている。
【００１１】
また、請求項４に係る発明は、トレイ式のカードコネクタであって、請求項１〜３のいずれか一項に記載のトレイを備える。
【発明の効果】
【００１２】
本発明によれば、ノイズ遮蔽性能を有する金属製のトレイや、メッキが施された樹脂製のトレイであったとしても、底板上に収容されたカードの端子部材が周囲の壁部に接触して短絡することを防止できる。
【図面の簡単な説明】
【００１３】
【図１】本発明の実施形態に係るトレイを示す斜視図である。
【図２】本発明の実施形態に係るトレイにカードを収容した状態を示す図であり、（ａ）は後面図、（ｂ）は上面図、（ｃ）は側面図、（ｄ）は下面図である。
【図３】本発明の実施形態に係るトレイ（Ｃ面取りタイプ）のカードを収容した状態を示す図であり、（ａ）はＡ−Ａ断面図、（ｂ）は要部拡大断面図である。
【図４】本発明の実施形態に係るトレイ（段差タイプ）のカードを収容した状態を示す図であり、（ａ）はＡ−Ａ断面図、（ｂ）は要部拡大断面図である。
【図５】本発明の実施形態に係るカードコネクタを示す斜視図である。
【図６】本発明の実施形態に係るカードコネクタのシェルを取り外した状態を示す斜視図である。
【図７】本発明の実施形態に係るカードコネクタを示す図であり、（ａ）は上面図、（ｂ）は側面図である。
【図８】本発明の実施形態に係るカードコネクタのシェルを取り外した状態を示す上面図である。
【図９】本発明の実施形態に係るトレイ挿入動作を示す斜視図であり、（ａ）は挿入途中の斜視図、（ｂ）は挿入完了状態の斜視図である。
【図１０】本発明の実施形態に係るトレイ挿入動作を示す斜視図であり、（ａ）は挿入途中の上面図、（ｂ）は挿入完了状態の上面図である。
【発明を実施するための形態】
【００１４】
以下、本発明に係る好適な実施形態について、図面を参照しながら詳細に説明する。
【００１５】
図１は、本発明の実施形態に係るカードコネクタ用のトレイを示す斜視図、図２は、本発明の実施形態に係るトレイにカードを収容した状態を示す図であり、（ａ）は後面図、（ｂ）は上面図、（ｃ）は側面図、（ｄ）は下面図である。
図１及び図２に示すように、本発明の実施形態に係るトレイ１５１は、カード２０１、３０１を収容した状態で、図示しない電子機器に取付けられた後述するカードコネクタ１に挿入される。つまり、カード２０１、３０１は、トレイ１５１に収容され、カードコネクタ１を介して電子機器に装着される。なお、電子機器は、例えば、パーソナルコンピュータ、携帯電話機、スマートフォン、ＰＤＡ、デジタルカメラ、ビデオカメラ、音楽プレーヤ、ゲーム機、車両用ナビゲーション装置等であるが、いかなる種類の機器であってもよい。
【００１６】
また、カード２０１、３０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施形態においては、カード２０１がマイクロＳＩＭ（ｍｉｃｒｏＳＩＭ）カード、カード３０１がマイクロＳＤ（Ｒ）カードであるものとして説明する。
【００１７】
本実施形態において、カード２０１は、図２の（ｂ）に示されるように、略直線状の前端２１１、後端２１２及び側縁２１３を有する略矩形の板形状を有し、その下面（第１の面）２１４に、端子部材である複数の接続パッド２５１が左右の側縁２１３に沿って並ぶように配設されている。図に示される例では、接続パッド２５１が３つずつ、２列に並ぶように配設されている。なお、接続パッド２５１は、本実施形態に限定されず、配列及び数を適宜変更することができる。また、下面２１４の反対側の面、すなわち、カード２０１の上面（第２の面）２１５（図３及び図４参照）には、接続パッド２５１が配設されていない。また、カード２０１が有する４つの角部のうち、いずれか１つの角部には、トレイ１５１に対するカード２０１の収容姿勢を規定するための切欠き部２１６が形成されている。
【００１８】
また、カード３０１は、図２の（ｂ）に示されるように、略直線状の前端３１１、後端３１２及び側縁３１３を有する略矩形の板形状を有し、その下面３１４に、端子部材である複数の接続パッド３５１が左右の前端３１１に沿って並ぶように配設されている。図に示される例では、８つの接続パッド３５１が１列に並ぶように配設されている。なお、接続パッド３５１は、本実施形態に限定されず、配列及び数を適宜変更することができる。また、下面３１４の反対側の面、すなわち、カード３０１の上面３１５には、接続パッド３５１が配設されていないが、上面３１５の後端側には、カード３０１を取り出し操作するための肉厚部３１６が形成されている。また、カード３０１が有する４つの角部のうち、いずれか１つの角部には、トレイ１５１に対するカード３０１の収容姿勢を規定するための切欠き部３１７が形成されている。
【００１９】
なお、本実施形態において、トレイ１５１、カードコネクタ１及びカード２０１、３０１の各部の構成及び動作を説明するために使用される上、下、左、右、前、後等の方向を示す表現は、絶対的なものでなく相対的なものであり、トレイ１５１、カードコネクタ１、カード２０１、３０１又はそれらの部品が図に示される姿勢である場合に適切であるが、トレイ１５１、カードコネクタ１、カード２０１、３０１はそれらの部品の姿勢が変化した場合には、姿勢の変化に応じて変更して解釈されるべきものである。
【００２０】
ここで、トレイ１５１は、ノイズ遮蔽性能を有する金属製、又はメッキが施された樹脂製であって、カード２０１、３０１を収容するトレイ本体１６１と、トレイ本体１６１の後端に設けられる後板部１７１とを有する。後板部１７１は、トレイ１５１がカードコネクタ１に挿入されたとき、カードコネクタ１の挿入口１ａを覆う形状を有するとともに、その一端部には、トレイ１５１を引き出し操作するための凸部１７２が形成されている。
【００２１】
本実施形態のトレイ本体１６１には、２種類のカード２０１、３０１を収容するために２つのカード収容部１６２、１６３が形成されている。本実施形態では、２つのカード収容部１６２、１６３を前後方向に並ぶように形成しており、前側のカード収容部１６２にカード２０１が収容され、後側のカード収容部１６３にカード３０１が収容される。なお、本実施形態のトレイ１５１は、２つのカード収容部１６２、１６３を有するが、カード収容部の数は、１つでもよいし、３以上であってもよい。また、本実施形態では、２つのカード収容部１６２、１６３のうち、一方のカード収容部１６２においてのみ本発明を適用しているが、必要に応じて、他方のカード収容部１６３に本発明を適用することもできる。
【００２２】
カード収容部１６２は、収容されるカード２０１の上面２１５と対向する底板部１６２ａと、底板部１６２ａの前縁から立設し、カード２０１の前端２１１と対向する前壁部１６２ｂと、底板部１６２ａの後縁から立設し、カード２０１の後端２１２と対向する後壁部１６２ｃと、底板部１６２ａの側縁から立設し、カード２０１の側縁２１３と対向する側壁部１６２ｄとを有する。つまり、カード収容部１６２には、接続パッド２５１の配置面である下面２１４が上を向く姿勢でカード２０１が収容される。なお、前壁部１６２ｂ、後壁部１６２ｃ及び側壁部１６２ｄによって形成される４つの角部のうち、いずれか１つの角部には、カード２０１の切欠き部２１６の形状に対応した突出部１６２ｅが形成され、この突出部１６２ｅによってカード収容部１６２に対するカード２０１の収容姿勢が規定される。
【００２３】
ここで、トレイ１５１は、前述したようにノイズ遮蔽性能を有する金属製、又はメッキが施された樹脂製であるため、カード収容部１６２に収容されたカード２０１の少なくとも一面を覆い、ノイズの影響を低減することが可能であるが、金属製、又はメッキが施された樹脂製のトレイ１５１は、導電性を有するので、接続パッド２５１の配置面において、その端縁又は端縁近傍まで接続パッド２５１が配置されたカード２０１の場合は、たとえ接続パッド２５１の配置面を上にしてカード収容部１６２の底板部１６２ａ上に収容したとしても、その周囲に立設される壁部（前壁部１６２ｂ、後壁部１６２ｃ及び側壁部１６２ｄ）に接続パッド２５１が接触して短絡する虞がある。
【００２４】
そこで、本発明の実施形態に係るトレイ１５１では、前壁部１６２ｂ、後壁部１６２ｃ及び側壁部１６２ｄの上端内側に切欠き１６２ｆ（又は１６２ｇ）を形成している。このようにすると、カード収容部１６２に対し、接続パッド２５１の配置面である下面２１４が上を向く姿勢でカード２０１を収容した場合に、カード２０１の下面２１４の端縁と、カード収容部１６２の壁部（前壁部１６２ｂ、後壁部１６２ｃ及び側壁部１６２ｄ）との間に、切欠き１６２ｆ（又は１６２ｇ）による間隙が確保されるので、たとえ接続パッド２５１の配置面において、その端縁又は端縁近傍まで接続パッド２５１が配置されたカード２０１を収容しても、カード２０１の接続パッド２５１がカード収容部１６２の壁部（前壁部１６２ｂ、後壁部１６２ｃ及び側壁部１６２ｄ）に接触して短絡することを防止できる。以下、切欠き１６２ｆ（又は１６２ｇ）の２つの具体例について、図３及び図４を参照して説明する。
【００２５】
図３は、本発明の実施形態に係るトレイ（Ｃ面取りタイプ）のカードを収容した状態を示す図であり、（ａ）はＡ−Ａ断面図、（ｂ）は要部拡大断面図である。
この図に示す切欠き１６２ｆは、Ｃ面取りによって形成されている。具体的には、前壁部１６２ｂ、後壁部１６２ｃ及び側壁部１６２ｄの上面と内側面とからなる角部を傾斜状に切欠くことで切欠き１６２ｆが形成されている。
【００２６】
ここで、前壁部１６２ｂ、後壁部１６２ｃ及び側壁部１６２ｄの高さ寸法Ｈ１（底板部１６２ａからの立ち上がり寸法）は、カード収容部１６２に収容されるカード２０１の厚さ寸法Ｈ２よりも大きくなるように設定され、また、前壁部１６２ｂ、後壁部１６２ｃ及び側壁部１６２ｄの内側面における切欠き１６２ｆの下端高さＨ３（底板部１６２ａからの立ち上がり寸法）は、カード２０１の厚さ寸法Ｈ２よりも小さくなるように設定されている。これにより、カード収容部１６２に対し、接続パッド２５１の配置面である下面２１４が上を向く姿勢でカード２０１を収容した場合に、カード２０１の下面２１４の端縁と、カード収容部１６２の壁部（前壁部１６２ｂ、後壁部１６２ｃ及び側壁部１６２ｄ）との間に、切欠き１６２ｆによる短絡防止用の間隙が確保される。なお、Ｃ面取りによって形成される切欠き１６２ｆの切欠き寸法や切欠き角度は適宜変更することができる。
【００２７】
図４は、本発明の実施形態に係るトレイ（段差タイプ）のカードを収容した状態を示す図であり、（ａ）はＡ−Ａ断面図、（ｂ）は要部拡大断面図である。
この図に示す切欠き１６２ｇは、段差によって形成されている。具体的には、前壁部１６２ｂ、後壁部１６２ｃ及び側壁部１６２ｄの上面と内側面とからなる角部を段差状に切欠くことで切欠き１６２ｇが形成されている。
【００２８】
ここで、前壁部１６２ｂ、後壁部１６２ｃ及び側壁部１６２ｄの高さ寸法Ｈ１（底板部１６２ａからの立ち上がり寸法）は、カード収容部１６２に収容されるカード２０１の厚さ寸法Ｈ２よりも大きくなるように設定され、また、前壁部１６２ｂ、後壁部１６２ｃ及び側壁部１６２ｄの内側面における切欠き１６２ｇの下端高さＨ４（底板部１６２ａからの立ち上がり寸法）は、カード２０１の厚さ寸法Ｈ２よりも小さくなるように設定されている。これにより、カード収容部１６２に対し、接続パッド２５１の配置面である下面２１４が上を向く姿勢でカード２０１を収容した場合に、カード２０１の下面２１４の端縁と、カード収容部１６２の壁部（前壁部１６２ｂ、後壁部１６２ｃ及び側壁部１６２ｄ）との間に、切欠き１６２ｇによる短絡防止用の間隙が確保される。なお、段差によって形成される切欠き１６２ｇの切欠き寸法は適宜変更することができる。
【００２９】
カード収容部１６３は、収容されるカード３０１の上面３１５と対向する底板部１６３ａと、底板部１６３ａの前縁から立設し、カード３０１の前端３１１と対向する前壁部１６３ｂと、底板部１６３ａの後縁から立設し、カード３０１の後端３１２と対向する後壁部１６３ｃと、底板部１６３ａの側縁から立設し、カード３０１の側縁３１３と対向する側壁部１６３ｄとを有する。つまり、カード収容部１６３には、接続パッド３５１の配置面である下面３１４が上を向く姿勢でカード３０１が収容される。なお、前壁部１６３ｂ、後壁部１６３ｃ及び側壁部１６３ｄによって形成される４つの角部のうち、いずれか１つの角部には、カード３０１の切欠き部３１７の形状に対応した突出部１６３ｅが形成され、この突出部１６３ｅによってカード収容部１６３に対するカード３０１の収容姿勢が規定される。また、底板部１６３ａの後端側には、カード３０１の肉厚部３１６を収容するための開口１６３ｆ（又は凹部）が形成されている。
【００３０】
つぎに、本発明の実施形態に係るトレイ式のカードコネクタ１について、図５〜図８を参照して説明する。
【００３１】
図５は、本発明の実施形態に係るカードコネクタを示す斜視図、図６は、本発明の実施形態に係るカードコネクタのシェルを取り外した状態を示す斜視図、図７は、本発明の実施形態に係るカードコネクタを示す図であり、（ａ）は上面図、（ｂ）は側面図、図８は、本発明の実施形態に係るカードコネクタのシェルを取り外した状態を示す上面図である。
これらの図に示すように、カードコネクタ１は、合成樹脂等の絶縁性材料によって一体的に成形されたハウジング１１と、金属等の導電性材料からなる板材に打抜き、折曲げ等の加工を施すことによって一体的に成形され、ハウジング１１の上側に取付けられたカバー部材としてのシェル６１とを有し、前端部に形成された挿入口１ａから挿入されるトレイ１５１を収容するとともに、トレイ１５１に収容されたカード２０１、３０１と電気的に接続される。
【００３２】
ハウジング１１は、実装される基板面に沿う底板部１２と、底板部１２の後縁から立ち上がる後壁部１３と、底板部１２の一側縁から立ち上がる側壁部１４とを有しており、底板部１２は、カード２０１用である６つの接続端子５１が取り付けられる第１の端子保持部１５と、カード３０１用である８つの接続端子５２が取り付けられる第２の端子保持部１６とを備える。なお、本実施形態では、インサートモールド成形により接続端子５１、５２をハウジング１１に一体的に取り付けているが、ハウジング１１に対する接続端子５１、５２の取り付け方法は適宜変更することができる。
【００３３】
接続端子５１は、端子保持部１５に固定される左右の脚部５１ａと、左右の脚部５１ａの中間部に設けられる接触部５１ｂと、一方の脚部５１ａから前方又は後方に延在する基板接続部５１ｃとを有する。接触部５１ｂは、脚部５１ａから後方に向けて斜め上方に延在しており、挿入されるトレイ１５１に収容されたカード２０１の接続パッド２５１に弾性的に接触して電気的に接続される。また、基板接続部５１ｃは、電子機器の基板に形成された配線パターンに対し、半田付け等によって電気的に接続される。
【００３４】
接続端子５２は、端子保持部１６に固定される基部５２ａと、基部５２ａから後方に延在する接触部５２ｂと、基部５２ａから前方に延在する基板接続部５２ｃとを有する。接触部５２ｂは、基部５２ａから後方に向けて斜め上方に延在しており、挿入されるトレイ１５１に収容されたカード３０１の接続パッド３５１に弾性的に接触して電気的に接続される。
【００３５】
なお、ハウジング１１の後壁部１３の内側には、第１接点部材５３と第２接点部材５４とによって構成され、トレイ１５１の挿入を検出するトレイ挿入検出スイッチが配設されているが、このトレイ挿入検出スイッチは、必要に応じて省略することができる。なお、図８の第１接点部材５３は、トレイの検出前と検出後の変位状態を表しており、本実施形態においては、第１接点部材５３と第２接点部材５４は、トレイが挿入される前の状態では相互に当接してトレイ挿入検出スイッチがＯＮとなっており、トレイが挿入された後の状態では相互に離間してトレイ挿入検出スイッチがＯＦＦとなった状態を示しているが、第１接点部材５３と第２接点部材５４の配置を変更し、トレイ挿入検出スイッチの動作を変更することもできる。
【００３６】
シェル６１は、略矩形の天板部６２と、天板部６２の左右側縁から下方に延在する側板部６３と、天板部６２の後縁から下方に延在する後板部６４とを有する。側板部６３及び後板部６４には、複数の係合孔６５が形成されており、シェル６１をハウジング１１の上側に取付ける際、これらの係合孔６５がハウジング１１側に形成される係合突起１７に係合することによって、シェル６１がハウジング１１に固定される。
【００３７】
また、シェル６１は、側板部６３及び後板部６４の下端部から外側方に延在する複数の実装部６６を有する。これらの実装部６６は、電子機器の基板に形成されたグランドパターンに対し、半田付け等によって電気的に接続される。これにより、シェル６１は、電子機器の基板に対して強固に固定されるとともに、良好なノイズ遮蔽機能を発揮することが可能になる。
【００３８】
また、シェル６１は、天板部６２の前端部に左右一対のトレイ接触部６７を有する。これらのトレイ接触部６７は、カードコネクタ１に挿入されるトレイ１５１に接触する形状を有しており、シェル６１とトレイ１５１とを導通させる。これにより、トレイ１５１は、シェル６１を介して基板のグランドパターンに接続され、良好なノイズ遮蔽機能を発揮することが可能になる。
【００３９】
さらに、シェル６１は、左右の側板部６３の後部に、挿入されたトレイ１５１を係合保持するための係合レバー６８を有する。係合レバー６８は、シェル６１の一部に、打抜き、折曲げ等の加工を施すことによって一体的に成形された弾性変形可能なバネ板状のものであり、カードコネクタ１にトレイ１５１が挿入された際、トレイ１５１の左右側縁部に形成される凹部１５１ａに係合することにより、トレイ１５１を挿入状態に保持する。
【００４０】
図９は、本発明の実施形態に係るトレイ挿入動作を示す斜視図であり、（ａ）は挿入途中の斜視図、（ｂ）は挿入完了状態の斜視図、図１０は、本発明の実施形態に係るトレイ挿入動作を示す斜視図であり、（ａ）は挿入途中の上面図、（ｂ）は挿入完了状態の上面図である。
これらの図に示すように、トレイ１５１は、カード２０１、３０１の収容面である上面がハウジング１１の底板部１２と対向し、下面がシェル６１の天板部６２と対向する姿勢でカードコネクタ１に挿入することにより、図２に示すようにトレイ１５１に収容されたカード２０１、３０１の接続パッド２５１、３５１がカードコネクタ１の接続端子５１、５２に電気的に接続される。なお、カードコネクタ１は、ハウジング１１が上面、シェル６１が下面となる姿勢で電子機器の基板に実装することが好ましい。その理由は、カード２０１、３０１の収容面を上向きとし、収容されたカード２０１、３０１を脱落させることなくカードコネクタ１にトレイ１５１を挿入できるからである。
【００４１】
以上に述べた実施形態によれば、カードコネクタ１に挿入されるトレイ１５１であって、下面２１４に接続パッド２５１を有するカード２０１の上面２１５と対向する底板部１６２ａと、底板部１６２ａの前縁から立設し、カード２０１の前端２１１と対向する前壁部１６２ｂと、底板部１６２ａの後縁から立設し、カード２０１の後端２１２と対向する後壁部１６２ｃと、底板部１６２ａの側縁から立設し、カード２０１の側縁２１３と対向する側壁部１６２ｄと、を備え、前壁部１６２ｂ、後壁部１６２ｃ及び側壁部１６２ｄが、それらの上端内側に切欠き１６２ｆ（又は１６２ｇ）を有するので、ノイズ遮蔽性能を有する導電性のトレイ１５１であったとしても、底板部１６２ａ上に収容されたカード２０１の接続パッド２５１が周囲の壁部（前壁部１６２ｂ、後壁部１６２ｃ及び側壁部１６２ｄ）に接触して短絡することを防止できる。
【００４２】
また、切欠き１６２ｆがＣ面取りによって形成されている場合は、トレイ１５１のカード収容部１６２にカード２０１を収容する際、切欠き１６２ｆの傾斜面による傾斜案内よってカード２０１を円滑かつ容易にカード収容部１６２の内部に収容することができる。
【００４３】
また、切欠き１６２ｇが段差によって形成されている場合は、カード２０１の下面２１４の端縁と、カード収容部１６２の壁部（前壁部１６２ｂ、後壁部１６２ｃ及び側壁部１６２ｄ）との間に確保される短絡防止用の間隙を、Ｃ面取りに比べて大きくできるという利点がある。
【００４４】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００４５】
１…カードコネクタ、１ａ…挿入口、１１…ハウジング、１２…底板部、１３…後壁部、１４…側壁部、１５…端子保持部、１６…端子保持部、１７…係合突起、５１…接続端子、５１ａ…脚部、５１ｂ…接触部、５１ｃ…基板接続部、５２…接続端子、５２ａ…基部、５２ｂ…接触部、５２ｃ…基板接続部、５３…接点部材、５４…接点部材、６１…シェル、６２…天板部、６３…側板部、６４…後板部、６５…係合孔、６６…実装部、６７…トレイ接触部、６８…係合レバー、１５１…トレイ、１５１ａ…凹部、１６１…トレイ本体、１６２…カード収容部、１６２ａ…底板部、１６２ｂ…前壁部、１６２ｃ…後壁部、１６２ｄ…側壁部、１６２ｅ…突出部、１６２ｆ…切欠き、１６２ｇ…切欠き、１６３…カード収容部、１６３ａ…底板部、１６３ｂ…前壁部、１６３ｃ…後壁部、１６３ｄ…側壁部、１６３ｅ…突出部、１６３ｆ…開口、１７１…後板部、１７２…凸部、２０１…カード、２１１…前端、２１２…後端、２１３…側縁、２１４…下面（第１の面）、２１５…上面（第２の面）、２１６…切欠き部、２５１…接続パッド（端子部材）、３０１…カード、３１１…前端、３１２…後端、３１３…側縁、３１４…下面、３１５…上面、３１６…肉厚部、３１７…切欠き部、３５１…接続パッド（端子部材）
【図１】
0006423233.tif 000002
【図２】
0006423233.tif 000003
【図３】
0006423233.tif 000004
【図４】
0006423233.tif 000005
【図５】
0006423233.tif 000006
【図６】
0006423233.tif 000007
【図７】
0006423233.tif 000008
【図８】
0006423233.tif 000009
【図９】
0006423233.tif 000010
【図１０】
0006423233.tif 000011